(57)【要約】【課題】自宅に鴨居が無い場合等にも、遺影額を自宅に飾ることができるようにする。【解決手段】本発明の遺影立て９は、額に遺影を納めた遺影額８を飾るための遺影額立てであって、部屋の床に載置される足木１０と、足木１０に支持されて鉛直方向に延びて遺影額８の背面を支える軸棒２０と、軸棒２０の上下方向中間部に取り付けられて遺影額８の下端面を支えるとともに遺影額８が前方に外れるのを止める外止３５，３５を備えた下支板３０と、軸棒２０の下支板３０よりも上方部位に対し上下方向に変位可能に係合されて遺影額８の上端面にあてがわれるとともに遺影額８が前方に外れるのを止める外止４５を備えた上かませ板４０とを含み構成されている。【選択図】図１
2012085948.tif 000002
【特許請求の範囲】
【請求項１】
額に遺影を納めた遺影額を飾るための遺影額立てであって、
部屋の床に載置される足木と、
足木に支持されて鉛直方向に延びて遺影額の背面を支える軸棒と、
軸棒の上下方向中間部に取り付けられて遺影額の下端面を支えるとともに、遺影額が前方に外れるのを止める外止を備えた下支板と、
軸棒の下支板よりも上方部位に対し上下方向に変位可能に係合されて遺影額の上端面にあてがわれるとともに、遺影額が前方に外れるのを止める外止を備えた上かませ板とを含み構成された遺影額立て。
【請求項２】
上かませ板には、上下方向に貫通した貫通孔が設けられ、
上かませ板の上下方向の変位は、上かませ板が該貫通孔にて軸棒に摺動可能に外嵌されたことにより可能となった請求項１記載の遺影額立て。
【請求項３】
下支板又は上かませ板の外止は、遺影額の前端を規制するように下支板又は上かませ板に凸設した外止突起である請求項１又は２記載の遺影額立て。
【請求項４】
下支板又は上かませ板の外止は、遺影額の下端部又は上端部が嵌入するように下支板又は上かませ板に凹設した外止溝である請求項１又は２記載の遺影額立て。
【請求項５】
足木と軸棒との組は、１組又は左右に離間した２組である請求項１〜４のいずれか一項に記載の遺影額立て。
【請求項６】
軸棒の下支板よりも下方部位に取り付けられて下支板よりも手前側に突出する遺品棚を備えた請求項１〜５のいずれか一項に記載の遺影額立て。
【発明の詳細な説明】
【技術分野】
【０００１】
本発明は、遺影を納めた遺影額を自宅に飾る手段に関する。
【背景技術】
【０００２】
故人の生前の姿を写した遺影は、額に納められるとともに、葬儀式の際には祭壇の中央に飾られる。そして、焼香する人は、その遺影と向き合う形で遺影を拝して合唱することにより、死者に対して一層慈しみの心をこみ上げる。
【０００３】
また、それと同時に自宅には三段形式の納骨祭壇が設置され、葬式の後は、その最上段中央に、葬式で飾られた遺影が額に納められたまま安置される。そして、その一段下には、お骨箱、白木位牌が並べられる。また、最下段には、線香、お香、ろうそくといった焼香類が供えられ、その脇には霊前花が供えられる。また、その周囲には、供花、供菓子等を供える形式で遺影に向き合えるようになっている。
【０００４】
このように遺影は、通夜、葬儀式から中陰の間を経て忌明けまで、葬儀、祭礼の中心的役割を担っており、現在では欠かすことの出来ない葬祭シンボルに位置づけられている。
【０００５】
そして、忌明け後は、その遺影は、額に納められたまま、仏間のある旧家では仏間右側の鴨居上へ飾られ、また、仏間が無い家屋では代わりにそれ以外の部屋の鴨居上に飾られることが、従来は一般的であった。
【０００６】
なお、遺影を納める遺影額に関する特許文献としては、次の特許文献１〜５に示すものがある。
【０００７】
【特許文献１】特開２００９−０８９７８０号公報
【特許文献２】特開２００３−２４６１９９号公報
【特許文献３】特開２００２−０８５２２２号公報
【特許文献４】特開平０９−２９９２０６号公報
【特許文献５】特開平０７−２９８９６７号公報
【発明の開示】
【発明が解決しようとする課題】
【０００８】
ところが、現代では自宅に鴨居さえもないことが多く、ましてや壁には、木枠骨がなく、遺影額を吊るす器具さえ使えない場合も多い。それでも死者を思う心は変わらず、どこの家庭でも遺影額を如何に飾るかについて勘考している。しかしながら、現状では、残念ながら、（１）仏壇の正面下に置く、（２）仏壇の脇に置く、（３）仏間の片隅に置く、（４）仏間すら無い場合には部屋の壁や何かの物にもたれさせて置く等、床に直置きする場合が多く、しっかりとした形式が失われている。また、更には、それさえもままならず、忌明け後には、遺影額を白布に包んで押し入れの上の方に仕舞い込んでしまう家庭が多いのには、悲しい感がする。
【０００９】
そこで、自宅に鴨居が無い場合等にも、遺影額を自宅に飾ることができるようにすることを目的とする。
【課題を解決するための手段】
【００１０】
上記目的を達成するため、本発明の遺影額立ては、額に遺影を納めた遺影額を飾るための遺影額立てであって、部屋の床に載置される足木と、足木に支持されて鉛直方向に延びて遺影額の背面を支える軸棒と、軸棒の上下方向中間部に取り付けられて遺影額の下端面を支えるとともに、遺影額が前方に外れるのを止める外止を備えた下支板と、軸棒の下支板よりも上方部位に対し上下方向に変位可能に係合されて遺影額の上端面にあてがわれるとともに、遺影額が前方に外れるのを止める外止を備えた上かませ板とを含み構成されている。
【００１１】
ここで、上かませ板には、特に限定されないが、上下方向に貫通した貫通孔が設けられ、上かませ板の上下方向の変位は、上かませ板が該貫通孔にて軸棒に摺動可能に外嵌されたことにより可能となっていることが好ましい。
【００１２】
また、下支板又は上かませ板の外止は、特に限定されないが、次の［１］［２］の態様を例示する。
［１］遺影額の前端を規制するように下支板又は上かませ板に凸設した外止突起である態様。
［２］遺影額の下端部又は上端部が嵌入するように下支板又は上かませ板に凹設した外止溝である態様。
【００１３】
また、足木と軸棒との組は、特に限定されないが、１組又は左右に離間した２組であることが好ましい。
【００１４】
また、本発明の遺影額立ては、軸棒の下支板よりも下方部位に取り付けられて下支板よりも手前側に突出する遺品棚を備えていることが好ましい。遺品棚に、故人の遺品を置いたり、花や菓子や水等を供えたりすることができるからである。
【００１５】
また、遺影額立ての各部分（足木、軸棒、下支板、上かませ板および遺品棚）の材質は、特に限定されないが、木材、樹脂、金属等を例示する。
【００１６】
また、遺影額立ての各部分（足木、軸棒、下支板、上かませ板および遺品棚）が、他の各部分と一体か別体かについては、特に限定されないが、次の［１］［２］の場合を例示する。
［１］遺影額立ての各部分（足木、軸棒、下支板、上かませ板および遺品棚）は、それぞれが別々に形成された別個の部材である場合（各部分が木材の場合等に好ましい）。
［２］遺影額立ての各部分（足木、軸棒、下支板、上かませ板および遺品棚）のいずれか二つ以上（例えば、足木と軸棒）は、最初から一体形成された一体型の部材である場合（各部分が樹脂の場合等に好ましい）。
【発明の効果】
【００１７】
本発明の遺影額立てによれば、自宅に鴨居が無い場合等にも、遺影額を自宅に飾ることができる。また、その際にも、遺影額は、床との間に間隔をおいて宙に浮いた状態で飾られるため、仏感と通ずる。
【００１８】
また、本発明の遺影額立ては、自宅以外でも、例えば、初七日の法要（最近では、場所はどこであれ、葬式の当日にする習わしに成ってきている）の会場等でも利用することができ、それにより、会場等の雰囲気を一層しめやかにすることができる。
【図面の簡単な説明】
【００１９】
【図１】実施例１の遺影立てを示す斜視図である。
【図２】実施例１の遺影立てを示す分解斜視図である。
【図３】実施例２の遺影立てを示す斜視図である。
【図４】実施例２の遺影立てを示す分解斜視図である。
【図５】実施例３の遺影立てを示す斜視図である。
【図６】実施例３の遺影立てを示す分解斜視図である。
【図７】実施例４の遺影立てを示す斜視図である。
【図８】実施例４の遺影立てを示す分解斜視図である。
【図９】変更例１（実施例１の変更例１）の遺影立てを示す斜視図である。
【図１０】変更例２（実施例１の変更例２）の遺影立てを示す斜視図である。
【実施例１】
【００２０】
図１，図２に示す本実施例１の遺影額立て９は、次に示す、足木１０と軸棒２０と下支板３０と上かませ板４０とから分解可能に組み立てられている。なお、これらの各部材（足木１０、軸棒２０、下支板３０および上かませ板４０）は、本実施例１では全て木材で形成されている。
【００２１】
足木１０は、左右方向に間隔をおいて設けられた前後方向に延びる一対の足棒１１，１１と、該一対の足棒１１，１１の前後方向中間部どうしを連結した左右方向に延びる連結棒１６とからなり、部屋の床に載置される。詳しくは、一対の足棒１１，１１の前後方向中間部の上面には、下方に凹んだ上面凹部１２，１２がそれぞれ凹設され、連結棒１６の左右方向両端部の下面には、上方に凹んだ下面凹部１７，１７がそれぞれ凹設されている。そして、一対の足棒１１，１１の上面凹部１２，１２が凹設された部位に、連結棒１６の両端部の下面凹部１７，１７が凹設された部位がそれぞれ嵌合する形で、一対の足棒１１，１１に連結棒１６が連結されている。また、連結棒１６の長さ方向中間部には、軸棒２０を支持するための支持孔１８が上下方向に貫設されている。
【００２２】
軸棒２０は、その下端部に設けられた被支持部２１が足木１０の支持孔１８に挿入されたことにより、該足木１０に支持されて鉛直方向に延びている。この軸棒２０の上下方向中間部の左右両側面には、下支板３０を取り付けるための取付溝２５，２５が凹設されており、それよりも上方部位で遺影額８の背面を支えるようになっている。
【００２３】
下支板３０は、左右方向に延びるとともに前後方向に幅をもつ板であって、軸棒２０の上下方向中間部に取り付けられて遺影額８の下端面を支える。詳しくは、この下支板３０の左右方向中間部の後端部には、後端から前方に切り欠かれた切欠３１が設けられており、その切欠３１が設けられた部位が、軸棒２０の取付溝２５，２５が凹設された部位に嵌合する形で、該軸棒２０に取り付けられている。また、この下支板３０の前端部には、上方に突出した一対の下外止突起３５，３５が左右方向に間隔をおいて凸設されており、その一対の下外止突起３５，３５で遺影額８の下端部の前端を規制して該下端部が前方に外れるのを止めるようになっている。なお、この下支板３０の高さは、他の宗教用具との高さの釣り合いを考慮して決められている。また、軸棒２０の前面と一対の下外止突起３５，３５の背面との間の間隔は、葬式毎に遺影額８の厚さが異なるため、想定し得る最大寸法で決められている。
【００２４】
上かませ板４０は、左右方向に延びるとともに前後方向に幅をもつ板であって、軸棒２０の上部（下支板３０よりも上方部位）に対し上下方向に変位可能に係合されて遺影額８の上端面にあてがわれる。詳しくは、この上かませ板４０の左右方向中間部の後部には、貫通孔４１が上下方向に貫設されおり、その貫通孔４１にて軸棒２０の上部（下支板３０よりも上方部位）に外嵌されることにより該軸棒２０の上部に摺動可能に係合している。また、この上かませ板４０の前端部には、下方に突出した上外止突起４５が凸設されており、その上外止突起４５で遺影額８の上端部の前端を規制して該上端部が前方に外れるのを止めるようになっている。
【００２５】
次に、以上に示した遺影額立て９に遺影額８を立てる際の手順を以下に説明する。
［１］まず、上かませ板４０を軸棒２０に沿って上方にスライドさせることによって、下支板３０と上かませ板４０との間の間隔を十分に開いてから、遺影額８の下端を下支板３０の上に載せる。このとき、遺影額８の下端部の前面は、下外止突起３５，３５の背面よりも後方に位置するようにする。
［２］次に、上かませ板４０を軸棒２０に沿って下方にスライドさせることによって、上かませ板４０の下面を遺影額８の上面にあてがう。このとき、遺影額８の上端部の前面は、上外止突起４５の背面よりも後方に位置するようにする。
【００２６】
本実施例１の遺影額立て９によれば、次の［Ａ］〜［Ｆ］の効果を得ることができる。
［Ａ］自宅に鴨居が無い場合にも、自宅に遺影額８を飾ることができる。
［Ｂ］遺影額８と床との間に間隔を置くので、荘厳な印象を与えるとともに仏感とも通じる。
［Ｃ］遺影額８を軸棒２０に沿って略直立に立てるので、この点でも荘厳な印象を与えることができる。
［Ｄ］現因、年齢、人柄、社会性等を考慮して遺影額立て９の色柄を選ぶことにより、人柄に合った雰囲気をかもしだすことができる。
［Ｅ］遺影額立て９は分解可能であるため、製造元は、保管、運搬において便利である。また、購入者も、引越しや持ち運びの際等に便利である。
［Ｆ］遺影額立て９は、自宅以外でも、例えば、初七日の法要（最近では、場所はどこであれ、葬式の当日にする習わしに成ってきている）の会場等でも利用することができ、それにより、会場等の雰囲気を一層しめやかにすることができる。
【実施例２】
【００２７】
図３，図４に示す本実施例２の遺影額立て４９は、実施例１と略同様であるが、軸棒２０の下支板３０よりも下方部位に取り付けられて下支板３０よりも手前側に突出する遺品棚５０を備えた点で実施例１と相違し、その他の点においては実施例１と同様である。
【００２８】
詳しくは、軸棒２０の取付溝２５，２５が凹設された部位よりも下方部位には、遺品棚５０を取り付けるための別の取付溝２６，２６が設けられている。また、軸棒２０の該別の取付溝２６，２６の下方の前面には、遺品棚５０を下方から支えて該遺品棚５０の取付を補強するための取付補強部２７，２７が設けられている。遺品棚５０は、左右方向に延びるとともに前後方向に幅をもつ板であって、この遺品棚５０の左右方向中間部の後端部には、後端から前方に切り欠かれた切欠５１が設けられている。そして、その切欠５１が設けられた部位が、軸棒２０の別の取付溝２６，２６が凹設された部位に嵌合する形で、該軸棒２０に取り付けられている。この遺品棚５０は、下支板３０の前端よりも手前側に９ｃｍ以上突出していることが好ましく、本実施例２では、９〜１０ｃｍ突出している。なお、この遺品棚５０は、必要に応じて取り付ける。
【００２９】
本実施例２によれば、実施例１の［Ａ］〜［Ｆ］の効果に加えて、次の［Ｇ］の効果を得ることができる。
［Ｇ］だれでも悲しい浅い日々では遺品等、特に毎日使用していた、又は身に付けていた馴染みのものに心が揺れるものであるが、それらを遺影額８の前の遺品棚５０に置いてあげることにより、家族の思いやりが故人へ届くことと思い、残された遺族の不安定な身心を少しでも安らかにする効果が生まれる。また、遺品棚５０には、遺品の他にも、花や菓子や水等を供えることもできる。
【実施例３】
【００３０】
図５，図６に示す本実施例３の遺影額立て５９は、次に示す、一対の足木６０，６０と一対の軸棒７０，７０と下支板８０と上かませ板９０とから分解可能に組み立てられている。なお、これらの各部材（一対の足木６０，６０、一対の軸棒７０，７０、下支板８０および上かませ板９０）は、本実施例２では全て木材で形成されている。
【００３１】
一対の足木６０，６０は、左右方向に間隔をおいて並設された前後方向に延びる一対の棒材であって、該一対の足木６０，６０の前後方向中間部には、一対の軸棒７０，７０を支持するための支持孔６８，６８がそれぞれ上下方向に貫設されている。
【００３２】
一対の軸棒７０，７０は、それらの下端部に設けられた被支持部７１，７１が一対の足木６０，６０の支持孔６８，６８に挿入されたことにより、該一対の足木６０，６０に支持されて鉛直方向に平行に延びている。また、各軸棒７０の被支持部７１の上方の前後の側面には、該軸棒７０と足木６０との連結を補強するための連結補強部７２，７２が設けられている。また、各軸棒７０の上下方向中間部の左右両側面には、下支板８０を取り付けるための取付溝７５，７５が凹設されている。また、各軸棒７０の該取付溝７５，７５の下方の前面には、下支板８０を下方から支えて該下支板８０の取付を補強するための取付補強部７６，７６が設けられている。そして、各軸棒７０は、該取付溝７５，７５よりも上方部位で遺影額８の背面を支えるようになっている。また、一対の軸棒７０，７０の下部どうしは、左右方向に延びる連結棒７９によって連結されている。
【００３３】
下支板８０は、左右方向に延びるとともに前後方向に幅をもつ板であって、一対の軸棒７０，７０の上下方向中間部に取り付けられて遺影額８の下端面を支える。詳しくは、この下支板８０の後端部には、後端から前方に切り欠かれた一対の切欠８１，８１が左右方向に間隔をおいて設けられており、各切欠８１が設けられた部位が、軸棒７０の取付溝７５，７５が凹設された部位に係合する形で、該下支板８０が一対の軸棒７０，７０に取り付けられている。また、この下支板８０の前端部には、上方に突出した下外止突起８５が凸設されており、その下外止突起８５で遺影額８の下端部の前端を規制して該下端部が前方に外れるのを防止するようになっている。なお、この下支板８０の高さは、他の宗教用具との高さの釣り合いを考慮して決められている。また、軸棒７０，７０の前面と下外止突起８５の背面との間の間隔は、葬式毎に遺影額８の厚さが異なるため、想定し得る最大寸法で決められている。
【００３４】
上かませ板９０は、左右方向に延びるとともに前後方向に幅をもつ板であって、一対の軸棒７０，７０の上部（下支板８０よりも上方部位）に対し上下方向に変位可能に係合されて遺影額８の上端面にあてがわれる。詳しくは、この上かませ板９０の後部には、上下方向に貫通した一対の貫通孔９１，９１が左右方向に間隔をおいて貫設されており、その一対の貫通孔９１，９１にて一対の軸棒７０，７０の上部（下支板８０よりも上方部位）に外嵌されることにより、該一対の軸棒７０，７０の上部に摺動可能に係合している。また、この上かませ板９０の前端部には、下方に突出した上外止突起９５が凸設されており、その上外止突起９５で遺影額８の上端部の前端を規制して該上端部が前方に外れるのを止めるようになっている。また、上かませ板９０の上面には、飾り部９８が設けられている。
【００３５】
なお、以上に示した遺影立て５９に遺影額８を立てる際の手順は、実施例１に示した手順と、符号番号のみを対応する番号に読み替えて同様であるため省略する。
【００３６】
本実施例２によれば、実施例１の［Ａ］〜［Ｆ］の効果に加えて、次の［Ｈ］［Ｉ］の効果を得ることができる。
［Ｈ］軸棒７０，７０が２本あるため、１本である実施例１に比べて強度があり安定する。そのため、実施例１に比べても荘厳な印象を与える。
［Ｉ］上かませ板９０の上面に飾り部９８があるため、この点でも実施例１に比べて荘厳な印象を与える。
【実施例４】
【００３７】
図７，図８に示す本実施例４の遺影額立て９９は、実施例３と略同様であるが、軸棒７０の下支板８０よりも下方部位に取り付けられて下支板８０よりも手前側に突出する遺品棚１００を備えた点で実施例１と相違し、その他の点においては実施例１と同様である。
【００３８】
詳しくは、各軸棒７０の取付溝７５，７５の下方の前面には、取付補強部７６の代わりに、下支板８０を下方から支えて該下支板８０の軸棒７０への取付を補強するとともに遺品棚１００を支持する支持棒７７が設けられている。その一対の支持棒７７，７７は、一対の軸棒７０，７０の前面から前方に突出するとともに、左右方向の内側の面には遺品棚１００を取り付けるための案内溝７８，７８が設けられている。遺品棚１００は、左右方向に延びるとともに前後方向に幅をもつ板であって、その左右両端部の後側が、一対の案内溝７８，７８に挿入されることによって、一対の軸棒７０，７０に取外可能に取り付けられている。この遺品棚１００は、下支板８０の前端よりも手前側に９ｃｍ以上突出していることが好ましく、本実施例４では、９〜１０ｃｍ突出している。
【００３９】
本実施例４によれば、実施例１の［Ａ］〜［Ｆ］の効果および実施例３の［Ｈ］［Ｉ］の効果に加えて、実施例２の［Ｇ］の効果も得ることができる。
【００４０】
なお、本発明は上記の実施例１，２の構成に限定されるものではなく、発明の趣旨から逸脱しない範囲で変更して具体化することもでき、例えば、次の変更例１，〜３のようにしてもよい。
【００４１】
［変更例１］
実施例１において、下支板３０に一対の下外止突起３５，３５を設け、上かませ板４０に上外止突起４５を設ける代わりに、図９に示すように、下支板３０の上面に遺影額８の下端部が嵌入する下外止溝３８を凹設し、上かませ板４０の下面に遺影額８の上端部が嵌入する上外止溝４８を凹設してもよい。
【００４２】
［変更例２］
実施例１において、足木１０の代わりに、図１０に示すように、円形深皿形の足木１９を設けてもよい。
【００４３】
［変更例３］
実施例４において、一対の軸棒７０，７０に支持棒７７，７７を設け、該支持棒７７，７７に遺品棚１００を支持する代わりに、下支板８０の下面に遺品棚１００を（ネジ、両面テープ、接着剤、その他の取付手段で）取り付けるようにしてもよい。
【符号の説明】
【００４４】
９    遺影額立て（実施例１）
１０    足木
１９    足木
２０    軸棒
３０    下支板
３５    下外止突起（下支板の外止）
３８    外止溝（下支板の外止）
４０    上かませ板
４１    貫通孔
４５    上外止突起（上かませ板の外止）
４８    外止溝（上かませ板の外止）
４９    遺影額立て（実施例２）
５０    遺品棚
５９    遺影額立て（実施例３）
６０    足木
７０    軸棒
８０    下支板
８５    下外止突起（下支板の外止）
９０    上かませ板
９１    貫通孔
９５    上外止突起（上かませ板の外止）
９９    遺影額立て（実施例４）
１００    遺品棚
【図１】
2012085948.tif 000003
【図２】
2012085948.tif 000004
【図３】
2012085948.tif 000005
【図４】
2012085948.tif 000006
【図５】
2012085948.tif 000007
【図６】
2012085948.tif 000008
【図７】
2012085948.tif 000009
【図８】
2012085948.tif 000010
【図９】
2012085948.tif 000011
【図１０】
2012085948.tif 000012